(57)【要約】      （修正有）【課題】良問を出題でき、又復習が効果的に行える教育技術を提供する。【解決手段】教授端末２と学徒端末３と前記教授端末および前記学徒端末が接続されているサーバーとを具備する試験問題提供・復習システムであって、学徒端末は、入力手段と出力手段と制御手段とを具備し、教授端末は、入力手段と出力手段と制御手段とを具備し、サーバーは、記憶手段６と制御手段７とを具備し、サーバーの記憶手段は、試験問題−試験問題識別情報データテーブルと、練習問題−練習問題識別情報データテーブルと、試験出題日に関連付けられて記憶される出題問題識別情報−試験問題識別情報データテーブルと、練習問題識別情報−試験問題識別情報データテーブルとを具備してなり、良問データ、出題履歴データ、出題分野データ、正解率データ等を識別情報として登録することで、適切な良問を選択して出題・復習ができる。  【選択図】図１０
2006330186.tif 000002
【特許請求の範囲】
【請求項１】
教授端末と、学徒端末と、前記教授端末および前記学徒端末が接続されているサーバーとを具備する試験問題提供・復習システムであって、
前記学徒端末は、入力手段と出力手段と制御手段とを具備し、
前記教授端末は、入力手段と出力手段と制御手段とを具備し、
前記サーバーは、記憶手段と制御手段とを具備し、
前記サーバーの記憶手段は、
試験問題と該試験問題の識別情報とが関連付けられて記憶される試験問題−試験問題識別情報データテーブルと、
練習問題と該練習問題の識別情報とが関連付けられて記憶される練習問題−練習問題識別情報データテーブルと、
前記試験問題の中から選択されてＸＸ日の試験に出題の出題問題の識別情報と前記試験問題の識別情報とが関連付けられて記憶される出題問題識別情報−試験問題識別情報データテーブルと、
前記練習問題の識別情報と前記試験問題の識別情報とが関連付けられて記憶される練習問題識別情報−試験問題識別情報データテーブルとを具備してなり、
前記サーバーの制御手段は、
前記教授端末から送信されて来た試験問題と該試験問題の識別情報とを関連付けて前記試験問題−試験問題識別情報データテーブルに記憶せしめる試験問題−試験問題識別情報データテーブル作成手段と、
前記教授端末から送信されて来た練習問題と該練習問題の識別情報とを関連付けて前記練習問題−練習問題識別情報データテーブルに記憶せしめる練習問題−練習問題識別情報データテーブル作成手段と、
前記教授端末から送信されて来たＸＸ日の試験に出題の出題問題の識別情報と前記試験問題の識別情報とを関連付けて前記出題問題識別情報−試験問題識別情報データテーブルに記憶せしめる出題問題識別情報−試験問題識別情報データテーブル作成手段と、
前記教授端末から送信されて来た試験問題の識別情報と該試験問題の内容が関連する練習問題の識別情報とを関連付けて前記練習問題識別情報−試験問題識別情報データテーブルに記憶せしめる練習問題識別情報−試験問題識別情報データテーブル作成手段と、
送信されて来た出題問題の識別情報を基にして前記出題問題識別情報−試験問題識別情報データテーブルから試験問題の識別情報を読み出す試験問題識別情報読出手段と、
前記試験問題識別情報読出手段で読み出された試験問題の識別情報を基に前記練習問題識別情報−試験問題識別情報データテーブルから練習問題の識別情報を読み出す練習問題識別情報読出手段と、
前記練習問題識別情報読出手段で読み出された練習問題の識別情報を基にして前記練習問題−練習問題識別情報データテーブルから練習問題を読み出し、前記端末に向けて送信させる練習問題読出手段と、
試験問題識別情報を基にして前記試験問題−試験問題識別情報データテーブルから試験問題を読み出し、前記教授端末に向けて送信させる試験問題読出手段とを具備してなり、
前記教授端末の制御手段は、前記教授端末の入力手段で入力された試験問題、試験問題の識別情報、練習問題、練習問題の識別情報、ＸＸ日の試験に出題の出題問題の識別情報を前記サーバーに向けて送信させ、又、前記サーバーから送信されて来た試験問題を受け取らせ、前記教授端末の出力手段に出力させるよう構成され、
前記学徒端末の制御手段は、前記学徒端末の入力手段で入力された出題問題の識別情報を前記サーバーに向けて送信させ、又、前記サーバーから送信されて来た練習問題を受け取らせ、前記学徒端末の出力手段に出力させるよう構成されてなる
ことを特徴とする試験問題提供・復習システム。
【請求項２】
前記サーバーの記憶手段は、
試験問題の中から選択されてＸＸ日の試験に出題の出題問題の出題履歴と該出題問題が対応する試験問題の識別情報とが関連付けられて記憶される出題履歴−試験問題識別情報データテーブルを更に具備し、
前記サーバーの制御手段は、
教授端末から送信されて来た出題問題の出題履歴と該出題問題が対応する試験問題の識別情報とを関連付けて前記出題履歴−試験問題識別情報データテーブルに記憶せしめる出題履歴−試験問題識別情報データテーブル作成手段と、
前記教授端末から送信されて来た所定条件の出題履歴を基にして前記出題履歴−試験問題識別情報データテーブルから試験問題識別情報を読み出し、この読み出された試験問題識別情報を基にして試験問題−試験問題識別情報データテーブルから試験問題を読み出し、前記教授端末に向けて送信させる試験問題読出手段とを更に具備し、
前記教授端末の制御手段は、前記教授端末の入力手段で入力された出題問題の出題履歴を前記サーバーに向けて送信させ、又、前記サーバーから送信されて来た試験問題を受け取らせ、前記教授端末の出力手段に出力させるよう構成されてなる
ことを特徴とする請求項１の試験問題提供・復習システム。
【請求項３】
前記サーバーの記憶手段は、
試験問題の出題分野と該試験問題の識別情報とが関連付けられて記憶される出題分野−試験問題識別情報データテーブルを更に具備し、
前記サーバーの制御手段は、
教授端末から送信されて来た試験問題の出題分野と該試験問題の識別情報とを関連付けて前記出題分野−試験問題識別情報データテーブルに記憶せしめる出題分野−試験問題識別情報データテーブル作成手段と、
前記教授端末から送信されて来た所定条件の出題分野を基にして前記出題分野−試験問題識別情報データテーブルから試験問題識別情報を読み出し、この読み出された試験問題識別情報を基にして試験問題−試験問題識別情報データテーブルから試験問題を読み出し、前記教授端末に向けて送信させる試験問題読出手段とを更に具備し、
前記教授端末の制御手段は、前記教授端末の入力手段で入力された試験問題の出題分野を前記サーバーに向けて送信させ、又、前記サーバーから送信されて来た試験問題を受け取らせ、前記教授端末の出力手段に出力させるよう構成されてなる
ことを特徴とする請求項１又は請求項２の試験問題提供・復習システム。
【請求項４】
前記サーバーの記憶手段は、
試験問題の中から選択されてＸＸ日の試験に出題の出題問題の正解率と該出題問題が対応する試験問題の識別情報とが関連付けられて記憶される正解率−試験問題識別情報データテーブルと、
試験問題の中から選択されてＸＸ日の試験に出題の出題問題の識別指数と該出題問題が対応する試験問題の識別情報とが関連付けられて記憶される識別指数−試験問題識別情報データテーブルとを更に具備し、
前記サーバーの制御手段は、
教授端末から送信されて来た出題問題の識別情報を基にして試験問題識別情報読出手段で読み出された試験問題の識別情報と該試験問題が対応する出題問題の正解率とを関連付けて前記正解率−試験問題識別情報データテーブルに記憶せしめる正解率−試験問題識別情報データテーブル作成手段と、
教授端末から送信されて来た出題問題の識別情報を基にして試験問題識別情報読出手段で読み出された試験問題の識別情報と該試験問題が対応する出題問題の識別指数とを関連付けて前記識別指数−試験問題識別情報データテーブルに記憶せしめる識別指数−試験問題識別情報データテーブル作成手段と、
前記教授端末から送信されて来た所定条件の正解率、識別指数を基にして前記データテーブルから試験問題識別情報を読み出し、この読み出された試験問題識別情報を基にして試験問題−試験問題識別情報データテーブルから試験問題を読み出し、前記教授端末に向けて送信させる試験問題読出手段とを更に具備し、
前記教授端末の制御手段は、前記教授端末の入力手段で入力された出題問題の識別情報、正解率、識別指数を前記サーバーに向けて送信させ、又、前記サーバーから送信されて来た試験問題を受け取らせ、前記教授端末の出力手段に出力させるよう構成されてなる
ことを特徴とする請求項１〜請求項３いずれかの試験問題提供・復習システム。
【請求項５】
前記サーバーの記憶手段は、
出題問題の漏出した旨が記憶される漏出情報データテーブルを更に具備し、
前記サーバーの制御手段は、
教授端末から送信されて来た漏出した出題問題の識別情報を基にして出題問題識別情報−試験問題識別情報データテーブルから試験問題の識別情報を読み出す漏出試験問題識別情報読出手段と、
前記漏出試験問題識別情報読出手段で読み出された試験問題の識別情報を前記漏出情報データテーブルに記憶せしめる漏出情報データテーブル作成手段と、
前記教授端末から送信されて来た所定条件の漏出情報を基にして前記漏出情報データテーブルから漏出していない（又は漏出した）試験問題の識別情報を読み出し、この読み出された試験問題識別情報を基にして試験問題−試験問題識別情報データテーブルから試験問題を読み出し、前記教授端末に向けて送信させる試験問題読出手段とを更に具備し、
前記教授端末の制御手段は、前記教授端末の入力手段で入力された漏出した出題問題の識別情報を前記サーバーに向けて送信させ、又、前記サーバーから送信されて来た試験問題を受け取らせ、前記教授端末の出力手段に出力させるよう構成されてなる
ことを特徴とする請求項１〜請求項４いずれかの試験問題提供・復習システム。
【請求項６】
教授端末と該教授端末が接続されているサーバーとを具備する試験問題提供システムであって、
前記教授端末は、入力手段と出力手段と制御手段とを具備し、
前記サーバーは、記憶手段と制御手段とを具備し、
前記サーバーの記憶手段は、
試験問題と該試験問題の識別情報とが関連付けられて記憶される試験問題−試験問題識別情報データテーブルと、
試験問題の中から選択されてＸＸ日の試験に出題の出題問題の出題履歴と該試験問題の識別情報とが関連付けられて記憶される出題履歴−試験問題識別情報データテーブルと、
試験問題の中から選択されてＸＸ日の試験に出題の出題問題の識別情報と前記試験問題の識別情報とが関連付けられて記憶される出題問題識別情報−試験問題識別情報データテーブルと、
試験問題の出題分野と該試験問題の識別情報とが関連付けられて記憶される出題分野−試験問題識別情報データテーブルと、
試験問題の中から選択されてＸＸ日の試験に出題の出題問題の正解率と該出題問題が対応する試験問題の識別情報とが関連付けられて記憶される正解率−試験問題識別情報データテーブルと、
試験問題の中から選択されてＸＸ日の試験に出題の出題問題の識別指数と該出題問題が対応する試験問題の識別情報とが関連付けられて記憶される識別指数−試験問題識別情報データテーブルとを具備し、
前記サーバーの制御手段は、
前記教授端末から送信されて来た試験問題と試験問題の識別情報とを関連付けて前記試験問題−試験問題識別情報データテーブルに記憶せしめる試験問題−試験問題識別情報データテーブル作成手段と、
前記教授端末から送信されて来た出題問題の出題履歴と試験問題の識別情報とを関連付けて前記出題履歴−試験問題識別情報データテーブルに記憶せしめる出題履歴−試験問題識別情報データテーブル作成手段と、
前記教授端末から送信されて来た試験問題の出題分野と試験問題の識別情報とを関連付けて前記出題分野−試験問題識別情報データテーブルに記憶せしめる出題分野−試験問題識別情報データテーブル作成手段と、
前記教授端末から送信されて来たＸＸ日の試験に出題の出題問題の識別情報と前記試験問題の識別情報とを関連付けて前記出題問題識別情報−試験問題識別情報データテーブルに記憶せしめる出題問題識別情報−試験問題識別情報データテーブル作成手段と、
前記教授端末から送信されて来た出題問題の識別情報を基にして出題問題識別情報−試験問題識別情報データテーブルから試験問題の識別情報を読み出す試験問題識別情報読出手段と、
前記試験問題識別情報読出手段で読み出された試験問題の識別情報と該試験問題が対応する出題問題の正解率とを関連付けて前記正解率−試験問題識別情報データテーブルに記憶せしめる正解率−試験問題識別情報データテーブル作成手段と、
前記試験問題識別情報読出手段で読み出された試験問題の識別情報と該試験問題が対応する出題問題の識別指数とを関連付けて前記識別指数−試験問題識別情報データテーブルに記憶せしめる識別指数−試験問題識別情報データテーブル作成手段と、
前記教授端末から送信されて来た所定条件の出題履歴、出題分野、正解率、識別指数を基にして前記データテーブルから該当する試験問題識別情報を読み出し、この読み出された試験問題識別情報を基にして前記試験問題−試験問題識別情報データテーブルから試験問題を読み出し、前記教授端末に向けて送信させる試験問題読出手段とを具備し、
前記教授端末の制御手段は、
前記教授端末の入力手段で入力された試験問題、試験問題の識別情報、出題履歴、出題分野、正解率、識別指数を前記サーバーに向けて送信させるよう構成されると共に、前記サーバーから送信されて来た試験問題を前記教授端末の出力手段に出力させるよう構成されてなる
ことを特徴とする試験問題提供システム。
【請求項７】
前記サーバーの記憶手段は、
出題問題の漏出した旨が記憶される漏出情報データテーブルを更に具備し、
前記サーバーの制御手段は、
教授端末から送信されて来た漏出した出題問題の識別情報を基にして出題問題識別情報−試験問題識別情報データテーブルから試験問題の識別情報を読み出す漏出試験問題識別情報読出手段と、
前記漏出試験問題識別情報読出手段で読み出された試験問題の識別情報を前記漏出情報データテーブルに記憶せしめる漏出情報データテーブル作成手段と、
前記教授端末から送信されて来た所定条件の漏出情報を基にして前記漏出情報データテーブルから漏出していない（又は漏出した）試験問題の識別情報を読み出し、この読み出された試験問題識別情報を基にして試験問題−試験問題識別情報データテーブルから試験問題を読み出し、前記教授端末に向けて送信させる試験問題読出手段とを更に具備し、
前記教授端末の制御手段は、前記教授端末の入力手段で入力された漏出した出題問題の識別情報を前記サーバーに向けて送信させ、又、前記サーバーから送信されて来た試験問題を受け取らせ、前記教授端末の出力手段に出力させるよう構成されてなる
ことを特徴とする請求項６の試験問題提供システム。
【請求項８】
試験問題提供システムにおけるサーバーであって、
前記サーバーは、記憶手段と制御手段とを具備し、
前記サーバーの記憶手段は、
試験問題と該試験問題の識別情報とが関連付けられて記憶される試験問題−試験問題識別情報データテーブルと、
試験問題の中から選択されてＸＸ日の試験に出題の出題問題の出題履歴と該試験問題の識別情報とが関連付けられて記憶される出題履歴−試験問題識別情報データテーブルと、
試験問題の中から選択されてＸＸ日の試験に出題の出題問題の識別情報と前記試験問題の識別情報とが関連付けられて記憶される出題問題識別情報−試験問題識別情報データテーブルと、
試験問題の出題分野と該試験問題の識別情報とが関連付けられて記憶される出題分野−試験問題識別情報データテーブルと、
試験問題の中から選択されてＸＸ日の試験に出題の出題問題の正解率と該出題問題が対応する試験問題の識別情報とが関連付けられて記憶される正解率−試験問題識別情報データテーブルと、
試験問題の中から選択されてＸＸ日の試験に出題の出題問題の識別指数と該出題問題が対応する試験問題の識別情報とが関連付けられて記憶される識別指数−試験問題識別情報データテーブルとを具備し、
前記サーバーの制御手段は、
試験問題と試験問題の識別情報とを関連付けて前記試験問題−試験問題識別情報データテーブルに記憶せしめる試験問題−試験問題識別情報データテーブル作成手段と、
出題問題の出題履歴と試験問題の識別情報とを関連付けて前記出題履歴−試験問題識別情報データテーブルに記憶せしめる出題履歴−試験問題識別情報データテーブル作成手段と、
試験問題の出題分野と試験問題の識別情報とを関連付けて前記出題分野−試験問題識別情報データテーブルに記憶せしめる出題分野−試験問題識別情報データテーブル作成手段と、
ＸＸ日の試験に出題の出題問題の識別情報と前記試験問題の識別情報とを関連付けて前記出題問題識別情報−試験問題識別情報データテーブルに記憶せしめる出題問題識別情報−試験問題識別情報データテーブル作成手段と、
出題問題の識別情報を基にして出題問題識別情報−試験問題識別情報データテーブルから試験問題の識別情報を読み出す試験問題識別情報読出手段と、
前記試験問題識別情報読出手段で読み出された試験問題の識別情報と該試験問題が対応する出題問題の正解率とを関連付けて前記正解率−試験問題識別情報データテーブルに記憶せしめる正解率−試験問題識別情報データテーブル作成手段と、
前記試験問題識別情報読出手段で読み出された試験問題の識別情報と該試験問題が対応する出題問題の識別指数とを関連付けて前記識別指数−試験問題識別情報データテーブルに記憶せしめる識別指数−試験問題識別情報データテーブル作成手段と、
所定条件の出題履歴、出題分野、正解率、識別指数を基にして前記データテーブルから該当する試験問題識別情報を読み出し、この読み出された試験問題識別情報を基にして前記試験問題−試験問題識別情報データテーブルから試験問題を読み出す試験問題読出手段とを具備する
ことを特徴とするサーバー。
【請求項９】
前記サーバーの記憶手段は、
出題問題の漏出した旨が記憶される漏出情報データテーブルを更に具備し、
前記サーバーの制御手段は、
漏出した出題問題の識別情報を基にして出題問題識別情報−試験問題識別情報データテーブルから試験問題の識別情報を読み出す漏出試験問題識別情報読出手段と、
前記漏出試験問題識別情報読出手段で読み出された試験問題の識別情報を前記漏出情報データテーブルに記憶せしめる漏出情報データテーブル作成手段と、
所定条件の漏出情報を基にして前記漏出情報データテーブルから漏出していない（又は漏出した）試験問題の識別情報を読み出し、この読み出された試験問題識別情報を基にして試験問題−試験問題識別情報データテーブルから試験問題を読み出す試験問題読出手段とを更に具備する
ことを特徴とする請求項８のサーバー。
【請求項１０】
学徒端末と該学徒端末が接続されているサーバーとを具備する復習システムであって、
前記学徒端末は、入力手段と出力手段と制御手段とを具備し、
前記サーバーは、記憶手段と制御手段とを具備し、
前記サーバーの記憶手段は、
試験問題と該試験問題の識別情報とが関連付けられて記憶されている試験問題−試験問題識別情報データテーブルと、
練習問題と該練習問題の識別情報とが関連付けられて記憶されている練習問題−練習問題識別情報データテーブルと、
前記試験問題の中から選択されてＸＸ日の試験に出題の出題問題の識別情報と前記試験問題の識別情報とが関連付けられて記憶されている出題問題識別情報−試験問題識別情報データテーブルと、
前記練習問題の識別情報と該練習問題の内容が関連する試験問題の識別情報とが関連付けられて記憶されている練習問題識別情報−試験問題識別情報データテーブルとを具備してなり、
前記サーバーの制御手段は、
前記学徒端末から送信されて来た出題問題の識別情報を基にして前記出題問題識別情報−試験問題識別情報データテーブルから試験問題の識別情報を読み出す試験問題識別情報読出手段と、
前記試験問題識別情報読出手段で読み出された試験問題の識別情報を基に前記練習問題識別情報−試験問題識別情報データテーブルから練習問題の識別情報を読み出す練習問題識別情報読出手段と、
前記練習問題識別情報読出手段で読み出された練習問題の識別情報を基にして前記練習問題−練習問題識別情報データテーブルから練習問題を読み出す練習問題読出手段とを具備してなり、
前記学徒端末の制御手段は、前記学徒端末の入力手段で入力された出題問題の識別情報を前記サーバーに向けて送信させ、又、前記サーバーから送信されて来た練習問題を受け取らせ、前記学徒端末の出力手段に出力させるよう構成されてなる
ことを特徴とする復習システム。
【請求項１１】
復習システムにおけるサーバーであって、
前記サーバーは、記憶手段と制御手段とを具備し、
前記サーバーの記憶手段は、
試験問題と該試験問題の識別情報とが関連付けられて記憶されている試験問題−試験問題識別情報データテーブルと、
練習問題と該練習問題の識別情報とが関連付けられて記憶されている練習問題−練習問題識別情報データテーブルと、
前記試験問題の中から選択されてＸＸ日の試験に出題の出題問題の識別情報と前記試験問題の識別情報とが関連付けられて記憶されている出題問題識別情報−試験問題識別情報データテーブルと、
前記練習問題の識別情報と該練習問題の内容が関連する試験問題の識別情報とが関連付けられて記憶されている練習問題識別情報−試験問題識別情報データテーブルとを具備し、
前記サーバーの制御手段は、
出題問題の識別情報を基にして前記出題問題識別情報−試験問題識別情報データテーブルから試験問題の識別情報を読み出す試験問題識別情報読出手段と、
前記試験問題識別情報読出手段で読み出された試験問題の識別情報を基に前記練習問題識別情報−試験問題識別情報データテーブルから練習問題の識別情報を読み出す練習問題識別情報読出手段と、
前記練習問題識別情報読出手段で読み出された練習問題の識別情報を基にして前記練習問題−練習問題識別情報データテーブルから練習問題を読み出す練習問題読出手段とを具備する
ことを特徴とするサーバー。
【請求項１２】
入力手段と出力手段と制御手段とを具備した教授端末と、該教授端末が接続されている記憶手段と制御手段とを具備したサーバーとを有するシステムを用いた試験問題の提供方法であって、
前記教授端末の制御手段が、該教授端末の入力手段で入力された試験問題と試験問題の識別情報とを前記サーバーに向けて送信せしめる試験問題−試験問題識別情報送信ステップと、
前記サーバーの制御手段が、前記試験問題−試験問題識別情報送信ステップで送信されて来た試験問題と試験問題の識別情報とを関連付けて該サーバーの記憶手段の試験問題−試験問題識別情報データテーブルに記憶せしめる試験問題−試験問題識別情報データテーブル作成ステップと、
前記教授端末の制御手段が、該教授端末の入力手段で入力された試験問題の出題分野と試験問題の識別情報とを前記サーバーに向けて送信せしめる出題分野−試験問題識別情報送信ステップと、
前記サーバーの制御手段が、前記出題分野−試験問題識別情報送信ステップで送信されて来た出題分野と試験問題の識別情報とを関連付けて該サーバーの記憶手段の出題分野−試験問題識別情報データテーブルに記憶せしめる出題分野−試験問題識別情報データテーブル作成ステップと、
前記教授端末の制御手段が、該教授端末の入力手段で入力されたＸＸ日の試験に出題の出題問題の識別情報と該出題問題が対応する試験問題の識別情報とを前記サーバーに向けて送信せしめる出題問題識別情報−試験問題識別情報送信ステップと、
前記サーバーの制御手段が、前記出題問題識別情報−試験問題識別情報送信ステップで送信されて来た出題問題の識別情報と試験問題の識別情報とを関連付けて該サーバーの記憶手段の出題問題識別情報−試験問題識別情報データテーブルに記憶せしめる出題問題識別情報−試験問題識別情報データテーブル作成ステップと、
前記教授端末の制御手段が、該教授端末の入力手段で入力された出題問題の識別情報と該出題問題の正解率とを前記サーバーに向けて送信せしめる出題問題識別情報−正解率送信ステップと、
前記サーバーの制御手段が、前記出題問題識別情報−正解率送信ステップで送信されて来た出題問題の識別情報を基にして前記出題問題識別情報−試験問題識別情報データテーブルから試験問題の識別情報を読み出し、読み出された試験問題の識別情報と前記出題問題識別情報−正解率送信ステップで送信されて来た出題問題の正解率とを関連付けて正解率−試験問題識別情報データテーブルに記憶せしめる正解率−試験問題識別情報データテーブル作成ステップと、
前記教授端末の制御手段が、該教授端末の入力手段で入力された出題問題の識別情報と該出題問題の識別指数を前記サーバーに向けて送信せしめる出題問題識別情報−識別指数送信ステップと、
前記サーバーの制御手段が、前記出題問題識別情報−識別指数送信ステップで送信されて来た出題問題の識別情報を基にして前記出題問題識別情報−試験問題識別情報データテーブルから試験問題の識別情報を読み出し、読み出された試験問題の識別情報と前記出題問題識別情報−識別指数送信ステップで送信されて来た識別指数とを関連付けて識別指数−試験問題識別情報データテーブルに記憶せしめる識別指数−試験問題識別情報データテーブル作成ステップと、
前記教授端末の制御手段が、該教授端末の入力手段で入力された出題問題の識別情報と該出題問題の出題履歴を前記サーバーに向けて送信せしめる出題問題識別情報−出題履歴送信ステップと、
前記サーバーの制御手段が、前記出題問題識別情報−出題履歴送信ステップで送信されて来た出題問題の識別情報を基にして前記出題問題識別情報−試験問題識別情報データテーブルから試験問題の識別情報を読み出し、読み出された試験問題の識別情報と前記出題問題識別情報−出題履歴送信ステップで送信されて来た出題問題の出題履歴とを関連付けて該サーバーの記憶手段の出題履歴−試験問題識別情報データテーブルに記憶せしめる出題履歴−試験問題識別情報データテーブル作成ステップと、
前記教授端末の制御手段が、該教授端末の入力手段で入力された所定条件の出題履歴、出題分野、正解率、識別指数を前記サーバーに向けて送信せしめる出題問題選択条件送信ステップと、
前記サーバーの制御手段が、前記出題問題選択条件送信ステップで送信されて来た条件を基にして該サーバーの記憶手段の前記データテーブルから該当する試験問題識別情報を読み出させ、この読み出された試験問題識別情報を基にして前記試験問題−試験問題識別情報データテーブルから試験問題を読み出させ、前記教授端末に向けて送信させる試験問題送信ステップと、
前記教授端末の制御手段が、前記試験問題送信ステップで送信されて来た試験問題を該教授端末の出力手段に出力させる試験問題出力ステップ
とを具備することを特徴とする試験問題の提供方法。
【請求項１３】
入力手段と出力手段と制御手段とを具備した学徒端末と、該学徒端末が接続されている記憶手段と制御手段とを具備したサーバーとを有するシステムを用いた復習方法であって、
前記学徒端末の制御手段が、該学徒端末の入力手段で入力された出題問題の識別情報を前記サーバーに向けて送信させる出題問題識別情報送信ステップと、
前記サーバーの制御手段が、前記出題問題識別情報送信ステップで送信されて来た出題問題の識別情報を基にして該サーバーの記憶手段の出題問題識別情報−試験問題識別情報データテーブルから試験問題の識別情報を読み出す試験問題識別情報読出ステップと、
前記サーバーの制御手段が、前記試験問題識別情報読出ステップで読み出された試験問題の識別情報を基にして該サーバーの記憶手段の練習問題識別情報−試験問題識別情報データテーブルから練習問題の識別情報を読み出す練習問題識別情報読出ステップと、
前記サーバーの制御手段が、前記練習問題識別情報読出ステップで読み出された練習問題の識別情報を基にして練習問題−練習問題識別情報データテーブルから練習問題を読み出す練習問題読出ステップと、
前記サーバーの制御手段が、前記練習問題読出ステップで読み出された練習問題を前記学徒端末に向けて送信させる練習問題送信ステップと、
前記学徒端末の制御手段が、前記練習問題送信ステップで送信されて来た練習問題を該学徒端末の出力手段に出力させる練習問題出力ステップ
とを具備することを特徴とする復習方法。
【発明の詳細な説明】
【技術分野】
【０００１】
本発明は、試験問題提供・復習システム、試験問題提供システム、復習システム、サーバー、試験問題の提供方法、及び復習方法に関する。特に、試験問題の劣化が起き難く、かつ、復習が効果的に行われる教育技術に関する。
【背景技術】
【０００２】
例えば、医学部にあっては、一学年の学生数が多くても百人である。そして、医学部の学生は、その殆どが医師となる。つまり、目標が一つに共通している。又、医師には体力が必要なことから、医学部の学生は他学部の学生に比べて、運動系のクラブに所属する者の割合が多い。そして、総合大学における医学部にあっても、医学部の学生のみで構成されている運動系のクラブは多い。このようなことからも、医学部における学生同士の縦・横の繋がりが非常に強い。
【０００３】
ところで、医学部の学生は、医師となった場合に、その全ての分野における知識が求められている。この為、医学部の学生には勉強が厳しく要求されている。新聞報道によれば、学部別の勉強時間を比べると、医学部の学生の勉強時間は群を抜いて多い。
【０００４】
さて、このような状況下に在ることから、学期における試験に際して、試験問題の用紙が回収されず、そのまま学生の手に渡ったままであると、その問題用紙は次の学年の者に渡って行くことが懸念されている。従って、多くの場合において、試験に際して配られた問題用紙は回収されている。
【０００５】
そして、問題用紙が回収された場合には、その受験した試験の問題を記憶を基に再現して問題を再現・作成しようとする学生はいない。従って、一年前の試験問題を翌年に新学生に果たしても、その問題は新鮮なものであり、不都合は殆ど無い。と言うよりも、Ａの問題は、去年は良問であったが、今年は悪問であったと言うことは無い。良い問題は、時の経過に寄らず、良い問題である。すなわち、医師となる為に必要な知識を問う為の良い問題は、去年も、今年も、又、来年も良い問題なのである。この観点から、同じ問題であるとしても、良問は、毎年、出題したい程であると言っても過言では無い。そして、このようなことを担保せしめる為、即ち、良問が劣化することを防止する為、出題された試験問題の用紙が試験後には回収されているのである。
【０００６】
ところで、試験の問題用紙が回収された場合には、新たな問題が起きる。それは、その問題が出来なかった学生が問題内容について復習をしたいと考えても、その復習に必要な資料が無いことから、復習が出来難いと言うことである。つまり、出来なかった問題がそのままにされてしまい、学習不十分なものとなってしまう。
【０００７】
又、問題を出題する側にあっても、出題した問題が良問であったのか、悪問であったのかの検証が出来ておらず、良問を如何に出題するかが大きな悩みの一つである。
【０００８】
ところで、これまで、各種の学習装置が提案されているが、満足できるものは見当たらない。
【特許文献１】特開平９−１０１７３７号公報
【特許文献２】特開２００４−２７２２８０号公報
【発明の開示】
【発明が解決しようとする課題】
【０００９】
従って、本発明が解決しようとする第１の課題は、復習が効果的に行える教育技術を提供することである。
【００１０】
又、本発明が解決しようとする第２の課題は、良問を簡単に出題できる教育技術を提供することである。
【課題を解決するための手段】
【００１１】
前記の課題は、教授端末と、学徒端末と、前記教授端末および前記学徒端末が接続されているサーバーとを具備する試験問題提供・復習システムであって、
前記学徒端末は、入力手段と出力手段と制御手段とを具備し、
前記教授端末は、入力手段と出力手段と制御手段とを具備し、
前記サーバーは、記憶手段と制御手段とを具備し、
前記サーバーの記憶手段は、
試験問題と該試験問題の識別情報とが関連付けられて記憶される試験問題−試験問題識別情報データテーブルと、
練習問題と該練習問題の識別情報とが関連付けられて記憶される練習問題−練習問題識別情報データテーブルと、
前記試験問題の中から選択されてＸＸ日の試験に出題の出題問題の識別情報と前記試験問題の識別情報とが関連付けられて記憶される出題問題識別情報−試験問題識別情報データテーブルと、
前記練習問題の識別情報と前記試験問題の識別情報とが関連付けられて記憶される練習問題識別情報−試験問題識別情報データテーブルとを具備してなり、
前記サーバーの制御手段は、
前記教授端末から送信されて来た試験問題と該試験問題の識別情報とを関連付けて前記試験問題−試験問題識別情報データテーブルに記憶せしめる試験問題−試験問題識別情報データテーブル作成手段と、
前記教授端末から送信されて来た練習問題と該練習問題の識別情報とを関連付けて前記練習問題−練習問題識別情報データテーブルに記憶せしめる練習問題−練習問題識別情報データテーブル作成手段と、
前記教授端末から送信されて来たＸＸ日の試験に出題の出題問題の識別情報と前記試験問題の識別情報とを関連付けて前記出題問題識別情報−試験問題識別情報データテーブルに記憶せしめる出題問題識別情報−試験問題識別情報データテーブル作成手段と、
前記教授端末から送信されて来た試験問題の識別情報と該試験問題の内容が関連する練習問題の識別情報とを関連付けて前記練習問題識別情報−試験問題識別情報データテーブルに記憶せしめる練習問題識別情報−試験問題識別情報データテーブル作成手段と、
送信されて来た出題問題の識別情報を基にして前記出題問題識別情報−試験問題識別情報データテーブルから試験問題の識別情報を読み出す試験問題識別情報読出手段と、
前記試験問題識別情報読出手段で読み出された試験問題の識別情報を基に前記練習問題識別情報−試験問題識別情報データテーブルから練習問題の識別情報を読み出す練習問題識別情報読出手段と、
前記練習問題識別情報読出手段で読み出された練習問題の識別情報を基にして前記練習問題−練習問題識別情報データテーブルから練習問題を読み出し、前記端末に向けて送信させる練習問題読出手段と、
試験問題識別情報を基にして前記試験問題−試験問題識別情報データテーブルから試験問題を読み出し、前記教授端末に向けて送信させる試験問題読出手段とを具備してなり、
前記教授端末の制御手段は、前記教授端末の入力手段で入力された試験問題、試験問題の識別情報、練習問題、練習問題の識別情報、ＸＸ日の試験に出題の出題問題の識別情報を前記サーバーに向けて送信させ、又、前記サーバーから送信されて来た試験問題を受け取らせ、前記教授端末の出力手段に出力させるよう構成され、
前記学徒端末の制御手段は、前記学徒端末の入力手段で入力された出題問題の識別情報を前記サーバーに向けて送信させ、又、前記サーバーから送信されて来た練習問題を受け取らせ、前記学徒端末の出力手段に出力させるよう構成されてなる
ことを特徴とする試験問題提供・復習システムによって解決される。
【００１２】
又、前記サーバーの記憶手段は、
試験問題の中から選択されてＸＸ日の試験に出題の出題問題の出題履歴と該出題問題が対応する試験問題の識別情報とが関連付けられて記憶される出題履歴−試験問題識別情報データテーブルを更に具備し、
前記サーバーの制御手段は、
教授端末から送信されて来た出題問題の出題履歴と該出題問題が対応する試験問題の識別情報とを関連付けて前記出題履歴−試験問題識別情報データテーブルに記憶せしめる出題履歴−試験問題識別情報データテーブル作成手段と、
前記教授端末から送信されて来た所定条件の出題履歴を基にして前記出題履歴−試験問題識別情報データテーブルから試験問題識別情報を読み出し、この読み出された試験問題識別情報を基にして試験問題−試験問題識別情報データテーブルから試験問題を読み出し、前記教授端末に向けて送信させる試験問題読出手段とを更に具備し、
前記教授端末の制御手段は、前記教授端末の入力手段で入力された出題問題の出題履歴を前記サーバーに向けて送信させ、又、前記サーバーから送信されて来た試験問題を受け取らせ、前記教授端末の出力手段に出力させるよう構成されてなる
ことを特徴とする上記の試験問題提供・復習システムによって解決される。
【００１３】
又、前記サーバーの記憶手段は、
試験問題の出題分野と該試験問題の識別情報とが関連付けられて記憶される出題分野−試験問題識別情報データテーブルを更に具備し、
前記サーバーの制御手段は、
教授端末から送信されて来た試験問題の出題分野と該試験問題の識別情報とを関連付けて前記出題分野−試験問題識別情報データテーブルに記憶せしめる出題分野−試験問題識別情報データテーブル作成手段と、
前記教授端末から送信されて来た所定条件の出題分野を基にして前記出題分野−試験問題識別情報データテーブルから試験問題識別情報を読み出し、この読み出された試験問題識別情報を基にして試験問題−試験問題識別情報データテーブルから試験問題を読み出し、前記教授端末に向けて送信させる試験問題読出手段とを更に具備し、
前記教授端末の制御手段は、前記教授端末の入力手段で入力された試験問題の出題分野を前記サーバーに向けて送信させ、又、前記サーバーから送信されて来た試験問題を受け取らせ、前記教授端末の出力手段に出力させるよう構成されてなる
ことを特徴とする上記の試験問題提供・復習システムによって解決される。
【００１４】
又、前記サーバーの記憶手段は、
試験問題の中から選択されてＸＸ日の試験に出題の出題問題の正解率と該出題問題が対応する試験問題の識別情報とが関連付けられて記憶される正解率−試験問題識別情報データテーブルと、
試験問題の中から選択されてＸＸ日の試験に出題の出題問題の識別指数と該出題問題が対応する試験問題の識別情報とが関連付けられて記憶される識別指数−試験問題識別情報データテーブルとを更に具備し、
前記サーバーの制御手段は、
教授端末から送信されて来た出題問題の識別情報を基にして試験問題識別情報読出手段で読み出された試験問題の識別情報と該試験問題が対応する出題問題の正解率とを関連付けて前記正解率−試験問題識別情報データテーブルに記憶せしめる正解率−試験問題識別情報データテーブル作成手段と、
教授端末から送信されて来た出題問題の識別情報を基にして試験問題識別情報読出手段で読み出された試験問題の識別情報と該試験問題が対応する出題問題の識別指数とを関連付けて前記識別指数−試験問題識別情報データテーブルに記憶せしめる識別指数−試験問題識別情報データテーブル作成手段と、
前記教授端末から送信されて来た所定条件の正解率、識別指数を基にして前記データテーブルから試験問題識別情報を読み出し、この読み出された試験問題識別情報を基にして試験問題−試験問題識別情報データテーブルから試験問題を読み出し、前記教授端末に向けて送信させる試験問題読出手段とを更に具備し、
前記教授端末の制御手段は、前記教授端末の入力手段で入力された出題問題の識別情報、正解率、識別指数を前記サーバーに向けて送信させ、又、前記サーバーから送信されて来た試験問題を受け取らせ、前記教授端末の出力手段に出力させるよう構成されてなる
ことを特徴とする上記の試験問題提供・復習システムによって解決される。
【００１５】
又、前記サーバーの記憶手段は、
出題問題の漏出した旨が記憶される漏出情報データテーブルを更に具備し、
前記サーバーの制御手段は、
教授端末から送信されて来た漏出した出題問題の識別情報を基にして出題問題識別情報−試験問題識別情報データテーブルから試験問題の識別情報を読み出す漏出試験問題識別情報読出手段と、
前記漏出試験問題識別情報読出手段で読み出された試験問題の識別情報を前記漏出情報データテーブルに記憶せしめる漏出情報データテーブル作成手段と、
前記教授端末から送信されて来た所定条件の漏出情報を基にして前記漏出情報データテーブルから漏出していない（又は漏出した）試験問題の識別情報を読み出し、この読み出された試験問題識別情報を基にして試験問題−試験問題識別情報データテーブルから試験問題を読み出し、前記教授端末に向けて送信させる試験問題読出手段とを更に具備し、
前記教授端末の制御手段は、前記教授端末の入力手段で入力された漏出した出題問題の識別情報を前記サーバーに向けて送信させ、又、前記サーバーから送信されて来た試験問題を受け取らせ、前記教授端末の出力手段に出力させるよう構成されてなる
ことを特徴とする上記の試験問題提供・復習システムによって解決される。
【００１６】
又、前記第２の課題は、教授端末と該教授端末が接続されているサーバーとを具備する試験問題提供システムであって、
前記教授端末は、入力手段と出力手段と制御手段とを具備し、
前記サーバーは、記憶手段と制御手段とを具備し、
前記サーバーの記憶手段は、
試験問題と該試験問題の識別情報とが関連付けられて記憶される試験問題−試験問題識別情報データテーブルと、
試験問題の中から選択されてＸＸ日の試験に出題の出題問題の出題履歴と該試験問題の識別情報とが関連付けられて記憶される出題履歴−試験問題識別情報データテーブルと、
試験問題の中から選択されてＸＸ日の試験に出題の出題問題の識別情報と前記試験問題の識別情報とが関連付けられて記憶される出題問題識別情報−試験問題識別情報データテーブルと、
試験問題の出題分野と該試験問題の識別情報とが関連付けられて記憶される出題分野−試験問題識別情報データテーブルと、
試験問題の中から選択されてＸＸ日の試験に出題の出題問題の正解率と該出題問題が対応する試験問題の識別情報とが関連付けられて記憶される正解率−試験問題識別情報データテーブルと、
試験問題の中から選択されてＸＸ日の試験に出題の出題問題の識別指数と該出題問題が対応する試験問題の識別情報とが関連付けられて記憶される識別指数−試験問題識別情報データテーブルとを具備し、
前記サーバーの制御手段は、
前記教授端末から送信されて来た試験問題と試験問題の識別情報とを関連付けて前記試験問題−試験問題識別情報データテーブルに記憶せしめる試験問題−試験問題識別情報データテーブル作成手段と、
前記教授端末から送信されて来た出題問題の出題履歴と試験問題の識別情報とを関連付けて前記出題履歴−試験問題識別情報データテーブルに記憶せしめる出題履歴−試験問題識別情報データテーブル作成手段と、
前記教授端末から送信されて来た試験問題の出題分野と試験問題の識別情報とを関連付けて前記出題分野−試験問題識別情報データテーブルに記憶せしめる出題分野−試験問題識別情報データテーブル作成手段と、
前記教授端末から送信されて来たＸＸ日の試験に出題の出題問題の識別情報と前記試験問題の識別情報とを関連付けて前記出題問題識別情報−試験問題識別情報データテーブルに記憶せしめる出題問題識別情報−試験問題識別情報データテーブル作成手段と、
前記教授端末から送信されて来た出題問題の識別情報を基にして出題問題識別情報−試験問題識別情報データテーブルから試験問題の識別情報を読み出す試験問題識別情報読出手段と、
前記試験問題識別情報読出手段で読み出された試験問題の識別情報と該試験問題が対応する出題問題の正解率とを関連付けて前記正解率−試験問題識別情報データテーブルに記憶せしめる正解率−試験問題識別情報データテーブル作成手段と、
前記試験問題識別情報読出手段で読み出された試験問題の識別情報と該試験問題が対応する出題問題の識別指数とを関連付けて前記識別指数−試験問題識別情報データテーブルに記憶せしめる識別指数−試験問題識別情報データテーブル作成手段と、
前記教授端末から送信されて来た所定条件の出題履歴、出題分野、正解率、識別指数を基にして前記データテーブルから該当する試験問題識別情報を読み出し、この読み出された試験問題識別情報を基にして前記試験問題−試験問題識別情報データテーブルから試験問題を読み出し、前記教授端末に向けて送信させる試験問題読出手段とを具備し、
前記教授端末の制御手段は、
前記教授端末の入力手段で入力された試験問題、試験問題の識別情報、出題履歴、出題分野、正解率、識別指数を前記サーバーに向けて送信させるよう構成されると共に、前記サーバーから送信されて来た試験問題を前記教授端末の出力手段に出力させるよう構成されてなる
ことを特徴とする試験問題提供システムによって解決される。
【００１７】
又、前記サーバーの記憶手段は、
出題問題の漏出した旨が記憶される漏出情報データテーブルを更に具備し、
前記サーバーの制御手段は、
教授端末から送信されて来た漏出した出題問題の識別情報を基にして出題問題識別情報−試験問題識別情報データテーブルから試験問題の識別情報を読み出す漏出試験問題識別情報読出手段と、
前記漏出試験問題識別情報読出手段で読み出された試験問題の識別情報を前記漏出情報データテーブルに記憶せしめる漏出情報データテーブル作成手段と、
前記教授端末から送信されて来た所定条件の漏出情報を基にして前記漏出情報データテーブルから漏出していない（又は漏出した）試験問題の識別情報を読み出し、この読み出された試験問題識別情報を基にして試験問題−試験問題識別情報データテーブルから試験問題を読み出し、前記教授端末に向けて送信させる試験問題読出手段とを更に具備し、
前記教授端末の制御手段は、前記教授端末の入力手段で入力された漏出した出題問題の識別情報を前記サーバーに向けて送信させ、又、前記サーバーから送信されて来た試験問題を受け取らせ、前記教授端末の出力手段に出力させるよう構成されてなる
ことを特徴とする上記の試験問題提供システムによって解決される。
【００１８】
又、試験問題提供システムにおけるサーバーであって、
前記サーバーは、記憶手段と制御手段とを具備し、
前記サーバーの記憶手段は、
試験問題と該試験問題の識別情報とが関連付けられて記憶される試験問題−試験問題識別情報データテーブルと、
試験問題の中から選択されてＸＸ日の試験に出題の出題問題の出題履歴と該試験問題の識別情報とが関連付けられて記憶される出題履歴−試験問題識別情報データテーブルと、
試験問題の中から選択されてＸＸ日の試験に出題の出題問題の識別情報と前記試験問題の識別情報とが関連付けられて記憶される出題問題識別情報−試験問題識別情報データテーブルと、
試験問題の出題分野と該試験問題の識別情報とが関連付けられて記憶される出題分野−試験問題識別情報データテーブルと、
試験問題の中から選択されてＸＸ日の試験に出題の出題問題の正解率と該出題問題が対応する試験問題の識別情報とが関連付けられて記憶される正解率−試験問題識別情報データテーブルと、
試験問題の中から選択されてＸＸ日の試験に出題の出題問題の識別指数と該出題問題が対応する試験問題の識別情報とが関連付けられて記憶される識別指数−試験問題識別情報データテーブルとを具備し、
前記サーバーの制御手段は、
試験問題と試験問題の識別情報とを関連付けて前記試験問題−試験問題識別情報データテーブルに記憶せしめる試験問題−試験問題識別情報データテーブル作成手段と、
出題問題の出題履歴と試験問題の識別情報とを関連付けて前記出題履歴−試験問題識別情報データテーブルに記憶せしめる出題履歴−試験問題識別情報データテーブル作成手段と、
試験問題の出題分野と試験問題の識別情報とを関連付けて前記出題分野−試験問題識別情報データテーブルに記憶せしめる出題分野−試験問題識別情報データテーブル作成手段と、
ＸＸ日の試験に出題の出題問題の識別情報と前記試験問題の識別情報とを関連付けて前記出題問題識別情報−試験問題識別情報データテーブルに記憶せしめる出題問題識別情報−試験問題識別情報データテーブル作成手段と、
出題問題の識別情報を基にして出題問題識別情報−試験問題識別情報データテーブルから試験問題の識別情報を読み出す試験問題識別情報読出手段と、
前記試験問題識別情報読出手段で読み出された試験問題の識別情報と該試験問題が対応する出題問題の正解率とを関連付けて前記正解率−試験問題識別情報データテーブルに記憶せしめる正解率−試験問題識別情報データテーブル作成手段と、
前記試験問題識別情報読出手段で読み出された試験問題の識別情報と該試験問題が対応する出題問題の識別指数とを関連付けて前記識別指数−試験問題識別情報データテーブルに記憶せしめる識別指数−試験問題識別情報データテーブル作成手段と、
所定条件の出題履歴、出題分野、正解率、識別指数を基にして前記データテーブルから該当する試験問題識別情報を読み出し、この読み出された試験問題識別情報を基にして前記試験問題−試験問題識別情報データテーブルから試験問題を読み出す試験問題読出手段とを具備する
ことを特徴とするサーバーによって解決される。
【００１９】
又、前記サーバーの記憶手段は、
出題問題の漏出した旨が記憶される漏出情報データテーブルを更に具備し、
前記サーバーの制御手段は、
漏出した出題問題の識別情報を基にして出題問題識別情報−試験問題識別情報データテーブルから試験問題の識別情報を読み出す漏出試験問題識別情報読出手段と、
前記漏出試験問題識別情報読出手段で読み出された試験問題の識別情報を前記漏出情報データテーブルに記憶せしめる漏出情報データテーブル作成手段と、
所定条件の漏出情報を基にして前記漏出情報データテーブルから漏出していない（又は漏出した）試験問題の識別情報を読み出し、この読み出された試験問題識別情報を基にして試験問題−試験問題識別情報データテーブルから試験問題を読み出す試験問題読出手段とを更に具備する
ことを特徴とする上記のサーバーによって解決される。
【００２０】
又、前記第１の課題は、学徒端末と該学徒端末が接続されているサーバーとを具備する復習システムであって、
前記学徒端末は、入力手段と出力手段と制御手段とを具備し、
前記サーバーは、記憶手段と制御手段とを具備し、
前記サーバーの記憶手段は、
試験問題と該試験問題の識別情報とが関連付けられて記憶されている試験問題−試験問題識別情報データテーブルと、
練習問題と該練習問題の識別情報とが関連付けられて記憶されている練習問題−練習問題識別情報データテーブルと、
前記試験問題の中から選択されてＸＸ日の試験に出題の出題問題の識別情報と前記試験問題の識別情報とが関連付けられて記憶されている出題問題識別情報−試験問題識別情報データテーブルと、
前記練習問題の識別情報と該練習問題の内容が関連する試験問題の識別情報とが関連付けられて記憶されている練習問題識別情報−試験問題識別情報データテーブルとを具備してなり、
前記サーバーの制御手段は、
前記学徒端末から送信されて来た出題問題の識別情報を基にして前記出題問題識別情報−試験問題識別情報データテーブルから試験問題の識別情報を読み出す試験問題識別情報読出手段と、
前記試験問題識別情報読出手段で読み出された試験問題の識別情報を基に前記練習問題識別情報−試験問題識別情報データテーブルから練習問題の識別情報を読み出す練習問題識別情報読出手段と、
前記練習問題識別情報読出手段で読み出された練習問題の識別情報を基にして前記練習問題−練習問題識別情報データテーブルから練習問題を読み出す練習問題読出手段とを具備してなり、
前記学徒端末の制御手段は、前記学徒端末の入力手段で入力された出題問題の識別情報を前記サーバーに向けて送信させ、又、前記サーバーから送信されて来た練習問題を受け取らせ、前記学徒端末の出力手段に出力させるよう構成されてなる
ことを特徴とする復習システムによって解決される。
【００２１】
又、復習システムにおけるサーバーであって、
前記サーバーは、記憶手段と制御手段とを具備し、
前記サーバーの記憶手段は、
試験問題と該試験問題の識別情報とが関連付けられて記憶されている試験問題−試験問題識別情報データテーブルと、
練習問題と該練習問題の識別情報とが関連付けられて記憶されている練習問題−練習問題識別情報データテーブルと、
前記試験問題の中から選択されてＸＸ日の試験に出題の出題問題の識別情報と前記試験問題の識別情報とが関連付けられて記憶されている出題問題識別情報−試験問題識別情報データテーブルと、
前記練習問題の識別情報と該練習問題の内容が関連する試験問題の識別情報とが関連付けられて記憶されている練習問題識別情報−試験問題識別情報データテーブルとを具備し、
前記サーバーの制御手段は、
出題問題の識別情報を基にして前記出題問題識別情報−試験問題識別情報データテーブルから試験問題の識別情報を読み出す試験問題識別情報読出手段と、
前記試験問題識別情報読出手段で読み出された試験問題の識別情報を基に前記練習問題識別情報−試験問題識別情報データテーブルから練習問題の識別情報を読み出す練習問題識別情報読出手段と、
前記練習問題識別情報読出手段で読み出された練習問題の識別情報を基にして前記練習問題−練習問題識別情報データテーブルから練習問題を読み出す練習問題読出手段とを具備する
ことを特徴とするサーバーによって解決される。
【００２２】
又、前記第２の課題は、入力手段と出力手段と制御手段とを具備した教授端末と、該教授端末が接続されている記憶手段と制御手段とを具備したサーバーとを有するシステムを用いた試験問題の提供方法であって、
前記教授端末の制御手段が、該教授端末の入力手段で入力された試験問題と試験問題の識別情報とを前記サーバーに向けて送信せしめる試験問題−試験問題識別情報送信ステップと、
前記サーバーの制御手段が、前記試験問題−試験問題識別情報送信ステップで送信されて来た試験問題と試験問題の識別情報とを関連付けて該サーバーの記憶手段の試験問題−試験問題識別情報データテーブルに記憶せしめる試験問題−試験問題識別情報データテーブル作成ステップと、
前記教授端末の制御手段が、該教授端末の入力手段で入力された試験問題の出題分野と試験問題の識別情報とを前記サーバーに向けて送信せしめる出題分野−試験問題識別情報送信ステップと、
前記サーバーの制御手段が、前記出題分野−試験問題識別情報送信ステップで送信されて来た出題分野と試験問題の識別情報とを関連付けて該サーバーの記憶手段の出題分野−試験問題識別情報データテーブルに記憶せしめる出題分野−試験問題識別情報データテーブル作成ステップと、
前記教授端末の制御手段が、該教授端末の入力手段で入力されたＸＸ日の試験に出題の出題問題の識別情報と該出題問題が対応する試験問題の識別情報とを前記サーバーに向けて送信せしめる出題問題識別情報−試験問題識別情報送信ステップと、
前記サーバーの制御手段が、前記出題問題識別情報−試験問題識別情報送信ステップで送信されて来た出題問題の識別情報と試験問題の識別情報とを関連付けて該サーバーの記憶手段の出題問題識別情報−試験問題識別情報データテーブルに記憶せしめる出題問題識別情報−試験問題識別情報データテーブル作成ステップと、
前記教授端末の制御手段が、該教授端末の入力手段で入力された出題問題の識別情報と該出題問題の正解率とを前記サーバーに向けて送信せしめる出題問題識別情報−正解率送信ステップと、
前記サーバーの制御手段が、前記出題問題識別情報−正解率送信ステップで送信されて来た出題問題の識別情報を基にして前記出題問題識別情報−試験問題識別情報データテーブルから試験問題の識別情報を読み出し、読み出された試験問題の識別情報と前記出題問題識別情報−正解率送信ステップで送信されて来た出題問題の正解率とを関連付けて正解率−試験問題識別情報データテーブルに記憶せしめる正解率−試験問題識別情報データテーブル作成ステップと、
前記教授端末の制御手段が、該教授端末の入力手段で入力された出題問題の識別情報と該出題問題の識別指数を前記サーバーに向けて送信せしめる出題問題識別情報−識別指数送信ステップと、
前記サーバーの制御手段が、前記出題問題識別情報−識別指数送信ステップで送信されて来た出題問題の識別情報を基にして前記出題問題識別情報−試験問題識別情報データテーブルから試験問題の識別情報を読み出し、読み出された試験問題の識別情報と前記出題問題識別情報−識別指数送信ステップで送信されて来た識別指数とを関連付けて識別指数−試験問題識別情報データテーブルに記憶せしめる識別指数−試験問題識別情報データテーブル作成ステップと、
前記教授端末の制御手段が、該教授端末の入力手段で入力された出題問題の識別情報と該出題問題の出題履歴を前記サーバーに向けて送信せしめる出題問題識別情報−出題履歴送信ステップと、
前記サーバーの制御手段が、前記出題問題識別情報−出題履歴送信ステップで送信されて来た出題問題の識別情報を基にして前記出題問題識別情報−試験問題識別情報データテーブルから試験問題の識別情報を読み出し、読み出された試験問題の識別情報と前記出題問題識別情報−出題履歴送信ステップで送信されて来た出題問題の出題履歴とを関連付けて該サーバーの記憶手段の出題履歴−試験問題識別情報データテーブルに記憶せしめる出題履歴−試験問題識別情報データテーブル作成ステップと、
前記教授端末の制御手段が、該教授端末の入力手段で入力された所定条件の出題履歴、出題分野、正解率、識別指数を前記サーバーに向けて送信せしめる出題問題選択条件送信ステップと、
前記サーバーの制御手段が、前記出題問題選択条件送信ステップで送信されて来た条件を基にして該サーバーの記憶手段の前記データテーブルから該当する試験問題識別情報を読み出させ、この読み出された試験問題識別情報を基にして前記試験問題−試験問題識別情報データテーブルから試験問題を読み出させ、前記教授端末に向けて送信させる試験問題送信ステップと、
前記教授端末の制御手段が、前記試験問題送信ステップで送信されて来た試験問題を該教授端末の出力手段に出力させる試験問題出力ステップ
とを具備することを特徴とする試験問題の提供方法によって解決される。
【００２３】
又、前記第１の課題は、入力手段と出力手段と制御手段とを具備した学徒端末と、該学徒端末が接続されている記憶手段と制御手段とを具備したサーバーとを有するシステムを用いた復習方法であって、
前記学徒端末の制御手段が、該学徒端末の入力手段で入力された出題問題の識別情報を前記サーバーに向けて送信させる出題問題識別情報送信ステップと、
前記サーバーの制御手段が、前記出題問題識別情報送信ステップで送信されて来た出題問題の識別情報を基にして該サーバーの記憶手段の出題問題識別情報−試験問題識別情報データテーブルから試験問題の識別情報を読み出す試験問題識別情報読出ステップと、
前記サーバーの制御手段が、前記試験問題識別情報読出ステップで読み出された試験問題の識別情報を基にして該サーバーの記憶手段の練習問題識別情報−試験問題識別情報データテーブルから練習問題の識別情報を読み出す練習問題識別情報読出ステップと、
前記サーバーの制御手段が、前記練習問題識別情報読出ステップで読み出された練習問題の識別情報を基にして練習問題−練習問題識別情報データテーブルから練習問題を読み出す練習問題読出ステップと、
前記サーバーの制御手段が、前記練習問題読出ステップで読み出された練習問題を前記学徒端末に向けて送信させる練習問題送信ステップと、
前記学徒端末の制御手段が、前記練習問題送信ステップで送信されて来た練習問題を該学徒端末の出力手段に出力させる練習問題出力ステップ
とを具備することを特徴とする復習方法によって解決される。
【発明の効果】
【００２４】
上記のように構成させた本発明によれば、試験問題が効率良く提供される。すなわち、予め、例えば１０００個の問題が登録されているとする。これは、良問と思われる問題が思い浮かぶ度に識別情報、例えば１から順番に番号を付けて登録する。そして、必要に応じて、その番号を指定することで、登録されている問題が出題問題として出力されて来る。この時、問題の識別情報（番号）と出題履歴とを関連付けて登録しておけば、例えば過去１年間に出題された問題を外した問題の選択が可能になる。又、問題の識別情報（番号）と出題分野とを関連付けて登録しておけば、特定のジャンルの問題の抽出が可能になる。又、問題の識別情報（番号）と出題問題の正解率や識別指数（識別指数は、良問か悪問かの判定の基準となる指数であり、０．２以上の値であれば良問であるとされている。）とを関連付けて登録しておけば、良い問題の選択が可能になる。例えば、正解率が１００％と言う問題は、一般的には、易し過ぎた問題と考えることが出来る。従って、このような問題は良問とは言い難い。又、正解率が０％と言う問題は、一般的には、難し過ぎた問題と考えることが出来る。従って、このような問題も良問とは言い難い。一般的には、正解率が２０〜７０％のものが良問であろうと思われる。しかしながら、正解率が所望の値であったとしても、所謂、良く勉強している学生（上位○％の学生）が正しく答えられており、かつ、勉強をしていない学生（下位○％の学生）が正しく答えられていない問題でなければ、良問とは言えない。このような観点から、識別指数が０．２〜１．０のものが良問であろう。又、出題された問題が、何かの事故によって、外部に漏出（流出）することも考えられる。このような場合、例えば３〜５年を経過した後に問題として出題しても差し支えが無いと考えられる。特に、良問は出来るだけ出題することが好ましい。しかし、漏出した翌年の出題では、受験する学生も漏出問題を見ている可能性が有る。従って、漏出後の何年かは出題を見合わせるようにしておくことが好ましい。従って、問題の識別情報（番号）と漏出情報とを関連付けて登録しておけば、このような問題にも対処できる。例えば、過去２年以内に漏出した問題を除外することが出来る。
【００２５】
又、本発明によれば、出来なかった問題に対して効果的な復習が可能になる。すなわち、出題問題の識別情報（Ｎｏ．ｘ）と問題の識別情報（番号）とを関連付けて登録しておき、又、問題の識別情報（番号）と練習（復習）問題の識別情報とを関連付けて登録しておき、又、練習（復習）問題の識別情報と練習（復習）問題とを関連付けて登録しておけば、教授からの連絡により学生は出来なかった出題問題の識別情報（Ｎｏ．ｘ）を知ることになるから、この出題問題の識別情報（Ｎｏ．ｘ）を基にして練習（復習）問題を手にすることが出来るようになる。すなわち、効果的な復習が可能になる。
【００２６】
そして、本発明によれば、試験に用いた問題用紙を回収しても何ら問題が起きない。と言うのみならず、問題用紙の回収が行えるので、問題の劣化が防止される。このことは、所謂、良問とされる問題を、毎年、新学生に出題できることを意味する。と言うことは、学生の本当の実力を正しく調べることが出来、試験本来の目的が果たせるようになることである。
【発明を実施するための最良の形態】
【００２７】
図１〜図１２は本発明の一実施形態を示す説明図であり、図１は試験問題−試験問題識別情報のデータテーブル説明図、図２は練習問題−練習問題識別情報のデータテーブル説明図、図３は練習問題識別情報−試験問題識別情報のデータテーブル説明図、図４は出題問題識別情報−試験問題識別情報のデータテーブル説明図、図５は出題履歴−試験問題識別情報のデータテーブル説明図、図６は出題分野−試験問題識別情報のデータテーブル説明図、図７は正解率−試験問題識別情報のデータテーブル説明図、図８は識別指数−試験問題識別情報のデータテーブル説明図、図９は漏出情報のデータテーブル説明図、図１０は本発明のシステムの概略図、図１１及び図１２は本発明のフロー図である。
【００２８】
各図中、１はサーバー、２は教授端末、３は学徒端末である。そして、サーバー１と、教授端末２及び学徒端末３とは、例えばインターネットを介して接続されている。
【００２９】
サーバー１は、キーボード等の入力手段４と、モニターやプリンタ等の出力手段５と、記憶手段６と、制御手段７とを備えている。
【００３０】
記憶手段６は、試験問題−試験問題識別情報のデータテーブル６ａと、練習問題−練習問題識別情報のデータテーブル６ｂと、練習問題識別情報−試験問題識別情報のデータテーブル６ｃと、出題問題識別情報−試験問題識別情報のデータテーブル６ｄと、出題履歴−試験問題識別情報のデータテーブル６ｅと、出題分野−試験問題識別情報のデータテーブル６ｆと、正解率−試験問題識別情報のデータテーブル６ｇと、識別指数−試験問題識別情報のデータテーブル６ｈと、漏出情報のデータテーブル６ｉとを有している。
【００３１】
データテーブル６ａには、試験問題と試験問題の識別情報（例えば、１，２，３，４，……の番号（自然数））とが関連付けられて書き込まれる。すなわち、図１からも判る通り、識別情報（番号）１には内容がｚの試験問題が書き込まれており、識別情報（番号）２には内容がｚｚの試験問題が書き込まれており、識別情報（番号）３には内容がｚｚｚの試験問題が書き込まれており、識別情報（番号）４には内容がｚｚｚｚの試験問題が書き込まれており、……、又、識別情報（番号）ｎには内容がｎｚの試験問題が書き込まれている。すなわち、合計してｎ個の問題が書き込まれており、かつ、１からｎの番号が順に関係付けられて書き込まれている。つまり、番号ｈ（ｈは１〜ｎ）と問題内容がｈｚの試験問題とが関係付けられて記憶されている。そして、ｈの番号が指定されると、データテーブル６ａからｈｚの内容の試験問題が読み出されるようになっている。
【００３２】
データテーブル６ｂには、練習問題（問題の内容）と練習問題の識別情報（例えば、Ａ，Ｂ，Ｃ，Ｄ，……の記号（又は番号））とが関連付けられて書き込まれる。すなわち、図２からも判る通り、識別情報Ａには内容がｙの練習問題が書き込まれており、識別情報Ｂには内容がｙｙの練習問題が書き込まれており、識別情報Ｃには内容がｙｙｙの練習問題が書き込まれており、識別情報Ｄには内容がｙｙｙｙの練習問題が書き込まれており、……、又、識別情報Ｎには内容がＮｙの練習問題が書き込まれている。すなわち、合計してＮ個の問題が書き込まれており、かつ、１からＮの記号（番号）が順に関係付けられて書き込まれている。つまり、記号（番号）Ｈ（Ｈは１〜Ｎ）と問題内容がＨｙの練習問題とが関係付けられて記憶されている。そして、Ｈの記号（番号）が指定されると、データテーブル６ｂからＨｙの内容の練習問題が読み出されるようになっている。
【００３３】
データテーブル６ｃには、練習問題識別情報（Ａ，Ｂ，Ｃ，Ｄ，……）と試験問題識別情報（１，２，３，４，……）とが関係付けられて書き込まれる。すなわち、図３に示される通り、識別情報１と識別情報Ａ，Ｂとが関係付けられて書き込まれ、識別情報２と識別情報Ａ，Ｃとが関係付けられて書き込まれ、識別情報３と識別情報Ｂ，Ｄとが関係付けられて書き込まれていると言った如くである。尚、この関係は、練習問題識別情報（Ａ，Ｂ，Ｃ，Ｄ，……）によって特定される練習問題の内容と、試験問題識別情報（１，２，３，４，……）によって特定される試験問題の内容とが関連していると言う関係である。例えば、識別情報がＡの練習問題ｙと識別情報がＢの練習問題ｙｙとを十分に理解して解くことが出来たならば、識別情報が１の試験問題ｚを正しく解答できるようになると言う関係である。又、識別情報がＡの練習問題ｙと識別情報がＣの練習問題ｙｙｙとを十分に理解して解くことが出来たならば、識別情報が２の試験問題ｚｚを正しく解答できるようになると言う関係である。又、識別情報がＢの練習問題ｙｙと識別情報がＤの練習問題ｙｙｙｙとを十分に理解して解くことが出来たならば、識別情報が３の試験問題ｚｚｚを正しく解答できるようになると言う関係である。
【００３４】
データテーブル６ｄには、出題問題識別情報（Ｎｏ．１，Ｎｏ．２，Ｎｏ．３，……）と試験問題識別情報（１，２，３，４，……）との関係が書き込まれる。ここで、出題問題識別情報Ｎｏ．１，Ｎｏ．２，Ｎｏ．３，……は、受験生が試験を受けている問題（出題問題）の番号であり、頭から順に付された番号である。Ｎｏ．１は第１問、Ｎｏ．２は第２問、Ｎｏ．３は第３問、……である。出題された問題の数が５０であれば、Ｎｏ．１からＮｏ．５０まで付される。そして、図４からも判る通り、第１問（出題問題識別情報Ｎｏ．１）の出題問題は、試験問題識別情報２で特定される試験問題ｚｚである。第２問（出題問題識別情報Ｎｏ．２）の出題問題は、試験問題識別情報５で特定される試験問題５ｚである。第３問（出題問題識別情報Ｎｏ．３）の出題問題は、試験問題識別情報７で特定される試験問題７ｚである。すなわち、ｎ個の試験問題の中から、今回、受験生の勉強程度を試験する為に選び出された問題が出題問題である。そして、出題問題の識別情報は、この出題問題の内容が同一内容の試験問題の識別情報に対応している。
【００３５】
データテーブル６ｅには、試験問題の識別情報（例えば、１，２，３，４，……）と出題問題の出題履歴とが関連付けられて書き込まれる。すなわち、今回、受験生の知識を問う為に出題された出題問題（出題問題識別情報Ｎｏ．１（試験問題識別情報２），出題問題識別情報Ｎｏ．２（試験問題識別情報５），出題問題識別情報Ｎｏ．３（試験問題識別情報７），……）の出題履歴が書き込まれる。図５の例で言うと、今回（２００５年の前期）の試験では、試験問題識別情報２の試験問題が出題されたと言う履歴が判る。又、試験問題識別情報５の試験問題の出題されたと言う履歴が判る。
【００３６】
データテーブル６ｆには、試験問題識別情報（１，２，３，４，……）で特定される試験問題が如何なる分野の問題であるかが書き込まれる。例えば、試験問題識別情報１の試験問題は循環器関係の分野からの問題である、試験問題識別情報２の試験問題は脳外科関係の分野からの問題であると言った如く、１〜ｎの試験問題識別情報の試験問題は如何なる分野からの問題であるかが書き込まれている。
【００３７】
データテーブル６ｇには、出題問題識別情報Ｎｏ．１，Ｎｏ．２，Ｎｏ．３……で特定される出題問題（試験問題識別情報２，５，７，……で特定される試験問題）に対する受験生による解答の正解率が書き込まれる。例えば、図７に示される例では、出題問題識別情報Ｎｏ．１（試験問題識別情報２）の出題問題（試験問題）の正解率は５０％であり、出題問題識別情報Ｎｏ．２（試験問題識別情報５）の出題問題（試験問題）の正解率は６０％であったことが書き込まれている。
【００３８】
データテーブル６ｈには、出題問題識別情報Ｎｏ．１，Ｎｏ．２，Ｎｏ．３……で特定される出題問題（試験問題識別情報２，５，７，……で特定される試験問題）に対する受験生による解答の識別指数が書き込まれる。例えば、図８に示される例では、出題問題識別情報Ｎｏ．１（試験問題識別情報２）の出題問題（試験問題）の識別指数は０．２５であり、出題問題識別情報Ｎｏ．２（試験問題識別情報５）の出題問題（試験問題）の識別指数は０．３であったことが書き込まれている。
【００３９】
データテーブル６ｉには、出題された問題の漏出の有無が書き込まれる。具体的に言うならば、出題された問題の用紙が試験後に全て回収されたか否かによって漏出の有無が判断される。問題用紙が全て回収されたならば、出題問題の漏出は無かったと判断される。従って、この場合には、全ての試験問題識別情報の欄に「無」が書き込まれる。しかしながら、問題用紙の回収が一部でも回収されなかったならば、回収されなかった問題用紙に記載の試験問題は漏出したと見做される。従って、この場合には、該当する出題問題識別情報（試験問題識別情報）の欄に「有」が書き込まれる。図９に示される例では、問題用紙が完全に回収されていることが示されている。すなわち、問題の漏出が無かったことが書き込まれている。
【００４０】
制御手段７は、試験問題−試験問題識別情報のデータテーブル作成手段７ａと、練習問題−練習問題識別情報のデータテーブル作成手段７ｂと、練習問題識別情報−試験問題識別情報のデータテーブル作成手段７ｃと、出題問題識別情報−試験問題識別情報のデータテーブル作成手段７ｄと、出題履歴−試験問題識別情報のデータテーブル作成手段７ｅと、出題分野−試験問題識別情報のデータテーブル作成手段７ｆと、正解率−試験問題識別情報のデータテーブル作成手段７ｇと、識別指数−試験問題識別情報のデータテーブル作成手段７ｈと、漏出情報のデータテーブル作成手段７ｉと、試験問題識別情報読出手段７ｊと、練習問題識別情報読出手段７ｋと、練習問題読出手段７ｌと、試験問題読出手段７ｍと、漏出試験問題識別情報読出手段７ｎとを有している。
【００４１】
試験問題−試験問題識別情報のデータテーブル作成手段７ａは、教授端末２から送信されて来た試験問題と該試験問題の識別情報とを関連付けて試験問題−試験問題識別情報データテーブル６ａに書き込むことが出来る。
【００４２】
練習問題−練習問題識別情報のデータテーブル作成手段７ｂは、教授端末２から送信されて来た練習問題と該練習問題の識別情報とを関連付けて練習問題−練習問題識別情報データテーブル６ｂに書き込むことが出来る。
【００４３】
練習問題識別情報−試験問題識別情報のデータテーブル作成手段７ｃは、教授端末２から送信されて来た試験問題の識別情報と該試験問題の内容が関連する練習問題の識別情報とを関連付けて練習問題識別情報−試験問題識別情報データテーブル６ｃに書き込むことが出来る。
【００４４】
出題問題識別情報−試験問題識別情報のデータテーブル作成手段７ｄは、教授端末２から送信されて来たＸＸ日の試験に出題の出題問題の識別情報と試験問題の識別情報とを関連付けて出題問題識別情報−試験問題識別情報データテーブル６ｄに書き込むことが出来る。
【００４５】
出題履歴−試験問題識別情報のデータテーブル作成手段７ｅは、教授端末２から送信されて来た出題問題の出題履歴と該出題問題が対応する試験問題の識別情報とを関連付けて出題履歴−試験問題識別情報データテーブル６ｅに書き込むことが出来る。
【００４６】
出題分野−試験問題識別情報のデータテーブル作成手段７ｆは、教授端末２から送信されて来た試験問題の出題分野と該試験問題の識別情報とを関連付けて出題分野−試験問題識別情報データテーブル６ｆに書き込むことが出来る。
【００４７】
正解率−試験問題識別情報のデータテーブル作成手段７ｇは、教授端末２から送信されて来た出題問題の識別情報を基にして出題問題識別情報−試験問題識別情報データテーブル６ｄから試験問題識別情報読出手段７ｊで読み出された試験問題の識別情報と該試験問題が対応する出題問題の正解率とを関連付けて正解率−試験問題識別情報データテーブル６ｇに書き込むことが出来る。
【００４８】
識別指数−試験問題識別情報のデータテーブル作成手段７ｈは、教授端末２から送信されて来た出題問題の識別情報を基にして出題問題識別情報−試験問題識別情報データテーブル６ｄから試験問題識別情報読出手段７ｊで読み出された試験問題の識別情報と該試験問題が対応する出題問題の識別指数とを関連付けて識別指数−試験問題識別情報データテーブル６ｈに書き込むことが出来る。
【００４９】
漏出情報のデータテーブル作成手段７ｉは、教授端末２から送信されて来た漏出した出題問題の識別情報を基にして試験問題識別情報読出手段７ｊ（漏出試験問題識別情報読出手段７ｎ）で出題問題識別情報−試験問題識別情報データテーブル６ｄから試験問題の識別情報を読み出し、この読み出された試験問題の識別情報を漏出情報データテーブル６ｉに書き込むことが出来る。
【００５０】
試験問題識別情報読出手段７ｊは、教授端末２や学徒端末３から送信されて来た出題問題の識別情報を基にして出題問題識別情報−試験問題識別情報データテーブル６ｄから試験問題の識別情報を読み出すことが出来る。
【００５１】
練習問題識別情報読出手段７ｋは、試験問題識別情報読出手段７ｊで読み出された試験問題の識別情報を基に練習問題識別情報−試験問題識別情報データテーブル６ｃから練習問題の識別情報を読み出すことが出来る。
【００５２】
練習問題読出手段７ｌは、練習問題識別情報読出手段７ｋで読み出された練習問題の識別情報を基にして練習問題−練習問題識別情報データテーブル６ｂから練習問題を読み出し、教授端末２や学徒端末３に向けて送信させることが出来る。
【００５３】
試験問題読出手段７ｍは、試験問題識別情報を基にして試験問題−試験問題識別情報データテーブル６ａから試験問題を読み出し、教授端末２に向けて送信させることが出来る。
【００５４】
教授端末２は、キーボード等の入力手段１４と、モニターやプリンタ等の出力手段１５と、記憶手段１６と、制御手段１７とを備えている。この制御手段１７は、入力手段１４で入力された試験問題、試験問題の識別情報、練習問題、練習問題の識別情報、ＸＸ日の試験に出題の出題問題の識別情報、その他の情報をサーバー１に向けて送信させることが出来、又、サーバー１から送信されて来た試験問題や練習問題を受け取らせ、記憶手段１６に記憶させると共に、出力手段１５に出力させるることが出来るよう構成されている。
【００５５】
学徒端末３は、キーボード等の入力手段２４と、モニターやプリンタ等の出力手段２５と、記憶手段２６と、制御手段２７とを備えている。この制御手段２７は、入力手段２４で入力されたＸＸ日の試験に出題の出題問題の識別情報、その他の情報をサーバー１に向けて送信させることが出来、又、サーバー１から送信されて来た練習問題を受け取らせ、記憶手段２６に記憶させると共に、出力手段２５に出力させることが出来るよう構成されている。
【００５６】
サーバー１及び端末２，３を上記のように構成させた本発明のシステムを用いた使用方法について説明する。
【００５７】
先ず、出題問題の提供のフローについて、図１１を参照しながら述べる。
【００５８】
教授端末２の制御手段１７は、教授端末２の入力手段１４で入力された試験問題と試験問題識別情報とをサーバー１に向けて送信させる（試験問題−試験問題識別情報送信ステップ１）。
【００５９】
これを受けて、サーバー１の制御手段７（試験問題−試験問題識別情報データテーブル作成手段７ａ）は、試験問題−試験問題識別情報送信ステップ１で送信されて来た試験問題と試験問題の識別情報とを関連付けてサーバー１の記憶手段６の試験問題−試験問題識別情報データテーブル６ａに記憶させる（試験問題−試験問題識別情報データテーブル作成ステップ２）。
【００６０】
又、教授端末２の制御手段１７は、教授端末２の入力手段１４で入力された試験問題の出題分野と試験問題識別情報とをサーバー１に向けて送信させる（出題分野−試験問題識別情報送信ステップ３）。
【００６１】
これを受けて、サーバー１の制御手段７（出題分野−試験問題識別情報データテーブル作成手段７ｆ）は、出題分野−試験問題識別情報送信ステップ３で送信されて来た出題分野と試験問題の識別情報とを関連付けてサーバー１の記憶手段６の出題分野−試験問題識別情報データテーブル６ｆに記憶させる（出題分野−試験問題識別情報データテーブル作成ステップ４）。
【００６２】
又、教授端末２の制御手段１７は、教授端末２の入力手段１４で入力されたＸＸ日の試験に出題の出題問題の識別情報と該出題問題が対応する試験問題の識別情報とをサーバー１に向けて送信させる（出題問題識別情報−試験問題識別情報送信ステップ５）。尚、本ステップは、出題問題が決定された後に行われるステップである。
【００６３】
これを受けて、サーバー１の制御手段７（出題問題識別情報−試験問題識別情報データテーブル作成手段７ｄ）は、出題問題識別情報−試験問題識別情報送信ステップ５で送信されて来た出題問題の識別情報と試験問題の識別情報とを関連付けてサーバー１の記憶手段６の出題問題識別情報−試験問題識別情報データテーブル６ｄに記憶させる（出題問題識別情報−試験問題識別情報データテーブル作成ステップ６）。
【００６４】
又、教授端末２の制御手段１７は、教授端末２の入力手段１４で入力された出題問題の識別情報と該出題問題の出題履歴とをサーバー１に向けて送信させる（出題問題識別情報−出題履歴送信ステップ７）。尚、本ステップも、出題問題が決定された後に行われるステップである。
【００６５】
これを受けて、サーバー１の制御手段７（出題履歴−試験問題識別情報のデータテーブル作成手段７ｅ）は、出題問題識別情報−出題履歴送信ステップ７で送信されて来た出題問題の識別情報を基にして出題問題識別情報−試験問題識別情報データテーブル６ｄから試験問題の識別情報を読み出させ、この読み出された試験問題の識別情報と出題問題識別情報−出題履歴送信ステップ７で送信されて来た出題問題の出題履歴とを関連付けてサーバー１の記憶手段６の出題履歴−試験問題識別情報データテーブル６ｅに記憶させる（出題履歴−試験問題識別情報データテーブル作成ステップ８）。
【００６６】
又、教授端末２の制御手段１７は、教授端末２の入力手段１４で入力された出題問題の識別情報と該出題問題の正解率とをサーバー１に向けて送信させる（出題問題識別情報−正解率送信ステップ９）。尚、本ステップは、受験後の解答用紙に対する所定の点数付けの整理が行われた後に行われるステップである。
【００６７】
これを受けて、サーバー１の制御手段７（正解率−試験問題識別情報のデータテーブル作成手段７ｇ）は、出題問題識別情報−正解率送信ステップ９で送信されて来た出題問題の識別情報を基にして出題問題識別情報−試験問題識別情報データテーブル６ｄから試験問題識別情報読出手段７ｊで試験問題の識別情報を読み出させ、この読み出された試験問題の識別情報と出題問題識別情報−正解率送信ステップ９で送信されて来た出題問題の正解率とを関連付けてサーバー１の記憶手段６の正解率−試験問題識別情報データテーブル６ｇに記憶させる（正解率−試験問題識別情報データテーブル作成ステップ１０）。
【００６８】
又、教授端末２の制御手段１７は、教授端末２の入力手段１４で入力された出題問題の識別情報と該出題問題の識別指数とをサーバー１に向けて送信させる（出題問題識別情報−識別指数送信ステップ１１）。尚、本ステップも、受験後の解答用紙に対する所定の点数付けの整理が行われた後に行われるステップである。
【００６９】
これを受けて、サーバー１の制御手段７（識別指数−試験問題識別情報のデータテーブル作成手段７ｈ）は、出題問題識別情報−識別指数送信ステップ１１で送信されて来た出題問題の識別情報を基にして出題問題識別情報−試験問題識別情報データテーブル６ｄから試験問題識別情報読出手段７ｊで試験問題の識別情報を読み出させ、この読み出された試験問題の識別情報と出題問題識別情報−識別指数送信ステップ１１で送信されて来た識別指数とを関連付けてサーバー１の記憶手段６の識別指数−試験問題識別情報データテーブル６ｈに記憶させる（識別指数−試験問題識別情報データテーブル作成ステップ１２）。
【００７０】
又、教授端末２の制御手段１７は、教授端末２の入力手段１４で入力された漏出した出題問題の識別情報をサーバー１に向けて送信させる（漏出出題問題識別情報送信ステップ１３）。尚、本ステップは、受験後に行われるステップである。
【００７１】
これを受けて、サーバー１の制御手段７（漏出情報データテーブル作成手段７ｉ）は、漏出出題問題識別情報送信ステップ１３で送信されて来た漏出した出題問題の識別情報を基にして試験問題識別情報読出手段７ｊ（漏出試験問題識別情報読出手段７ｎ）で出題問題識別情報−試験問題識別情報データテーブル６ｄから試験問題の識別情報を読み出させ、この読み出された試験問題の識別情報を漏出情報データテーブル６ｉに記憶させる（漏出情報データテーブル作成ステップ１４）。
【００７２】
又、教授端末２の制御手段１７は、教授端末２の入力手段１４で入力された所定条件の出題履歴、出題分野、正解率、識別指数、漏出した出題問題の情報、その他の必要情報を前記サーバーに向けて送信させる（出題問題選択条件送信ステップ１５）。
【００７３】
これを受けて、サーバー１の制御手段７は、出題問題選択条件送信ステップ１５で送信されて来た条件を基にしてサーバー１の記憶手段６のデータテーブル６ｄ，６ｅ，６ｆ，６ｇ，６ｈ，６ｉから該当する試験問題識別情報を試験問題識別情報読出手段７ｊで読み出させ、そして読み出された試験問題識別情報を基にして試験問題−試験問題識別情報データテーブル６ａから試験問題読出手段７ｍで試験問題を読み出させ、教授端末２に向けて送信させる（試験問題送信ステップ１６）。そして、これを受けて、教授端末２の制御手段１７は、試験問題送信ステップ１６で送信されて来た試験問題を教授端末２の出力手段１５に出力させる（試験問題出力ステップ１７）。
【００７４】
従って、出力手段１５で出力された試験問題の数が出題しようとする問題の数より少ない場合には、出題問題選択条件を緩めて、再度、実行し、その数が出題問題の数より多くなるまで行う。そして、出力手段１５で出力された試験問題の数が出題しようとする問題の数より多くなった場合、その条件を吟味し、最終的に、出題問題を決定する。この後、教授端末２の制御手段１７は、該当する試験問題識別情報を出題問題識別情報としてサーバー１に向けて送信させる。
【００７５】
これを受けて、サーバー１の制御手段７は、送信されて来た試験問題識別情報を基にして試験問題−試験問題識別情報データテーブル６ａから試験問題を読み出させ、教授端末２に向けて送信させる（出題問題送信ステップ１８）。又、出題問題識別情報−試験問題識別情報のデータテーブル６ｄと出題履歴−試験問題識別情報のデータテーブル６ｅとに、各々、その情報を書き込ませる。そして、教授端末２の制御手段１７は、試験問題送信ステップ１８で送信されて来た試験問題を必要数だけ教授端末２の出力手段１５に出力させる（出題問題出力ステップ１９）。
【００７６】
次に、復習の為の練習問題獲得のフローについて、図１２を参照しながら述べる。
【００７７】
先ず、学徒端末３の制御手段２７は、学徒端末３の入力手段２４で入力された出題問題の識別情報をサーバー１に向けて送信させる（出題問題識別情報送信ステップ２１）。尚、この出題問題の識別情報は受験した問題の番号であるから、受験生は受験によって知っている。
【００７８】
出題問題識別情報送信ステップ２１で送信されて来た出題問題の識別情報を基にして、サーバー１の制御手段７（試験問題識別情報読出手段７ｊ）は、サーバー１の記憶手段６の出題問題識別情報−試験問題識別情報データテーブル６ｄから試験問題の識別情報を読み出させる（試験問題識別情報読出ステップ２２）。
試験問題識別情報読出ステップ２２で読み出された試験問題の識別情報を基にして、サーバー１の制御手段７（練習問題識別情報読出手段７ｋ）は、サーバー１の記憶手段６の練習問題識別情報−試験問題識別情報データテーブル６ｃから練習問題の識別情報を読み出させる（練習問題識別情報読出ステップ２３）。
【００７９】
練習問題識別情報読出ステップ２３で読み出された練習問題の識別情報を基にして、サーバー１の制御手段７（練習問題読出手段７ｌ）は、練習問題−練習問題識別情報データテーブル６ｂから練習問題を読み出させる（練習問題読出ステップ２４）。
【００８０】
次に、サーバー１の制御手段７は、練習問題読出ステップ２４で読み出された練習問題を学徒端末３に向けて送信させる（練習問題送信ステップ２５）。
【００８１】
これを受けて、学徒端末３の制御手段２７は、練習問題送信ステップ２５で送信されて来た練習問題を学徒端末３の出力手段２５に出力させる（練習問題出力ステップ２６）。これによって、問題が出来なかった内容についての復習が効果的に出来るようになる。
【００８２】
尚、上記の実施例では、サーバー１と教授端末２とは別々の例で説明したが、これは、一つのコンピュータであっても良い。
【図面の簡単な説明】
【００８３】
【図１】試験問題−試験問題識別情報のデータテーブル説明図
【図２】練習問題−練習問題識別情報のデータテーブル説明図
【図３】練習問題識別情報−試験問題識別情報のデータテーブル説明図
【図４】出題問題識別情報−試験問題識別情報のデータテーブル説明図
【図５】出題履歴−試験問題識別情報のデータテーブル説明図
【図６】出題分野−試験問題識別情報のデータテーブル説明図
【図７】正解率−試験問題識別情報のデータテーブル説明図
【図８】識別指数−試験問題識別情報のデータテーブル説明図
【図９】漏出情報のデータテーブル説明図
【図１０】システムの概略図
【図１１】試験問題提供のフロー図
【図１２】練習問題獲得のフロー図
【符号の説明】
【００８４】
１              サーバー
２              教授端末
３              学徒端末
４，１４，２４  入力手段
５，１５，２５  出力手段
６，１６，２６  記憶手段
７，１７，２７  制御手段
６ａ            試験問題−試験問題識別情報データテーブル
６ｂ            練習問題−練習問題識別情報データテーブル
６ｃ            練習問題識別情報−試験問題識別情報データテーブル
６ｄ            出題問題識別情報−試験問題識別情報データテーブル
６ｅ            出題履歴−試験問題識別情報データテーブル
６ｆ            出題分野−試験問題識別情報データテーブル
６ｇ            正解率−試験問題識別情報データテーブル
６ｈ            識別指数−試験問題識別情報データテーブル
６ｉ            漏出情報データテーブル
７ａ            試験問題−試験問題識別情報データテーブル作成手段
７ｂ            練習問題−練習問題識別情報データテーブル作成手段
７ｃ            練習問題識別情報−試験問題識別情報データテーブル作成手段
７ｄ            出題問題識別情報−試験問題識別情報データテーブル作成手段
７ｅ            出題履歴−試験問題識別情報データテーブル作成手段
７ｆ            出題分野−試験問題識別情報データテーブル作成手段
７ｇ            正解率−試験問題識別情報データテーブル作成手段
７ｈ            識別指数−試験問題識別情報データテーブル作成手段
７ｉ            漏出情報のデータテーブル作成手段
７ｊ            試験問題識別情報読出手段
７ｋ            練習問題識別情報読出手段
７ｌ            練習問題読出手段
７ｍ            試験問題読出手段
７ｎ            漏出試験問題識別情報読出手段
代  理  人  宇  高    克  己
【図１】
2006330186.tif 000003
【図２】
2006330186.tif 000004
【図３】
2006330186.tif 000005
【図４】
2006330186.tif 000006
【図５】
2006330186.tif 000007
【図６】
2006330186.tif 000008
【図７】
2006330186.tif 000009
【図８】
2006330186.tif 000010
【図９】
2006330186.tif 000011
【図１０】
2006330186.tif 000012
【図１１】
2006330186.tif 000013
【図１２】
2006330186.tif 000014